【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
記録媒体上に、記録液を吐出してドットにより記録を行うインクジェット記録装置において、
前記装置は、入力画像情報を中間調処理して得られる出力階調値に応じてドット配置順を選択することが可能な画像処理手段を備え、
記録媒体が、商業・出版印刷用塗工紙である場合に、前記記録液として顔料系インクを用いると共に、
前記画像処理手段により格子状に配置されたドットデータの奇数列または偶数列のいずれか一方のドット位置を主走査方向または副走査方向にシフトし、ドット位置を千鳥状に配置して記録するように構成したことを特徴とするインクジェット記録装置。
【請求項２】
前記格子状に配置されたドットデータの解像度が、４００ｄｐｉ以上であることを特徴とする請求項１に記載のインクジェット記録装置。
【請求項３】
請求項１又は２のインクジェット記録装置であって、
前記記録媒体が、支持体と当該支持体の少なくとも一方の面に塗工層を有しており、
２３℃、５０％ＲＨの環境条件下で、動的走査吸液計で測定した接触時間１００ｍｓにおける純水の前記記録媒体への転移量が２〜３５ｍｌ／ｍ2であり、かつ接触時間４００ｍｓにおける純水の前記記録媒体への転移量が３〜４０ｍｌ／ｍ2であることを特徴とするインクジェット記録装置。
【請求項４】
前記記録媒体を構成する前記塗工程層の固形分付着量が、０．５〜２０．０ｇ／ｍ2であることを特徴とする請求項３に記載のインクジェット記録装置。
【請求項５】
請求項１のインクジェット記録装置であって、
前記顔料系インクが、少なくとも、水、着色剤、及び湿潤剤を含有していることを特徴とするインクジェット記録装置。
【請求項６】
前記顔料系インクの２５℃における表面張力が、３５ｍＮ／ｍ以下であることを特徴とする請求項５に記載のインクジェット記録装置。
【請求項７】
前記中間調処理が、入力画像の階調（Ｍ値）を小値（Ｎ値：Ｍ＞Ｎ＞２）に変換して出力するディザマトリクスによるものであり、
該ディザマトリクス内には、より小さなサブマトリクスが一定のスクリーン角を持たせて隙間及び重複無く配置され、出力画素の配置パターンが網点パターンやスクリーン線を形成するように設定されており、
サブマトリクス内のドット配置順序は、出力階調値が閾値Ｔ（Ｎ＞Ｔ＞１）未満の場合はドットが隣接するように形成される集中型であり、閾値Ｔ以上の場合はドットが隣接しないように形成される分散型であることを特徴する請求項１に記載のインクジェット記録装置。
【請求項８】
前記中間調処理が、入力画像の階調（Ｍ値）を小値（Ｎ値：Ｍ＞Ｎ≧２）に変換して出力する誤差拡散アルゴリズムによる誤差拡散処理であることを特徴する請求項１に記載のインクジェット記録装置。
【請求項９】
請求項１乃至８のいずれか一項に記載のインクジェット記録装置を用いて記録されたことを特徴とする記録物。
【請求項１０】
請求項１乃至８のいずれか一項に記載のインクジェット記録装置に用いられる顔料系インクであって、２５℃における表面張力が３５ｍＮ／ｍ以下であることを特徴とする顔料系インク。
【請求項１１】
請求項１乃至８のいずれか一項に記載のインクジェット記録装置を用いた記録において、画像処理手段により入力画像情報を中間調処理して得られる出力階調値に応じてドット配置順を選択する画像処理方法であって、
前記中間調処理が、入力画像の階調（Ｍ値）を小値（Ｎ値：Ｍ＞Ｎ＞２）に変換して出力するディザマトリクスによるものであり、
該ディザマトリクス内には、より小さなサブマトリクスが一定のスクリーン角を持たせて隙間及び重複無く配置され、出力画素の配置パターンが網点パターンやスクリーン線を形成するように設定されており、
サブマトリクス内のドット配置順序を、出力階調値が閾値Ｔ（Ｎ＞Ｔ＞１）未満の場合はドットが隣接するように形成する集中型とし、閾値Ｔ以上の場合はドットが隣接しないように形成する分散型とすることを特徴する画像処理方法。
【請求項１２】
前記ディザマトリクスが、サブマトリクスのドット配置が集中型から分散型に切り替わる直前に、集中型の最大階調値（Ｔ−１）でサブマトリクス全体が埋め尽くされるパターンになるものであることを特徴する請求項１１に記載の画像処理方法。
【請求項１３】
前記ディザマトリクスが、任意の出力階調値についてサブマトリクス全体がその階調値で埋め尽くされるパターンを有するものであることを特徴とする請求項１１に記載の画像処理方法。
【請求項１４】
ドット配置順を決定する際の前記サブマトリクスの選択順は、ディザマトリクス内で分散的であるようにし、隣接するサブマトリクスを連続して選択しないように間隔を空けて選択するか、あるいは配置されたドットがハイパスフィルタ特性を持つように選択することを特徴する請求項１１乃至１３のいずれか一項に記載の画像処理方法。
【請求項１５】
入力画像が複数のカラープレーンで構成されるカラー画像の場合、任意のカラープレーンについては、前記ディザマトリクスを「回転」、「線対称に反転」、「平行移動」の何れか、あるいは任意の組み合わせによって変換したディザマトリクスを使用することを特徴する請求項１１乃至１３のいずれか一項に記載の画像処理方法。
【請求項１６】
入力画像が複数のカラープレーンで構成されるカラー画像の場合、任意のカラープレーンについては、前記ディザマトリクスのドット配置順序を出力階調単位で反転したディザマトリクスを使用することを特徴とする請求項１３に記載の画像処理方法。
【請求項１７】
前記ディザマトリクスにおけるサブマトリクスが大小２つの長方形を各辺と各角が接するよう隣接させた形であり、ＣＭＹＫのカラー入力画像に対して、カラープレーン毎に上下方向に１ライン以上平行移動してずらしたディザマトリクスを使用することを特徴とする請求項１５に記載の画像処理方法。
【請求項１８】
入力画像が複数のカラープレーンで構成されるカラー画像の場合に、前記ディザマトリクスと共に、一定のスクリーン角を持ったライン形のディザマトリクスを組み合わせて使用することを特徴とする請求項１１乃至１７のいずれか一項に記載の画像処理方法。
【請求項１９】
入力画像が複数のカラープレーンで構成されるカラー画像の場合に、前記ディザマトリクスと共に、ベイヤー型のディザマトリクスを組み合わせて使用することを特徴とする請求項１１乃至１７のいずれか一項に記載の画像処理方法。
【請求項２０】
請求項１乃至８のいずれか一項に記載のインクジェット記録装置を用いた記録において、画像処理手段により入力画像情報を中間調処理して得られる出力階調値に応じてドット配置順を選択する画像処理方法であって、
前記中間調処理が、入力画像の階調（Ｍ値）を小値（Ｎ値：Ｍ＞Ｎ≧２）に変換して出力する誤差拡散アルゴリズムによる誤差拡散処理であることを特徴する画像処理方法。
【請求項２１】
請求項１１乃至２０のいずれか一項に記載の画像処理方法をコンピュータに実行させることを特徴とする画像処理制御プログラム。
【請求項２２】
請求項２１記載の画像処理制御プログラムを記録したコンピュータ読み取り可能な記録媒体。
【請求項２３】
請求項１１乃至２０のいずれか一項に記載の画像処理方法を実施可能に構成したことを特徴とする画像処理装置。
【請求項２４】
請求項１１乃至２０のいずれか一項に記載の画像処理方法を実施可能に構成したことを特徴とするインクジェット記録装置。
【請求項２５】
記録媒体および記録用インクの種類に応じて、請求項１１乃至２０のいずれか一項に記載の画像処理方法、または、より高線数なディザ処理方式に切り換えるように構成したことを特徴とするインクジェット記録装置。
【手続補正２】
【補正対象書類名】明細書
【補正対象項目名】００２２
【補正方法】変更
【補正の内容】
【００２２】
請求項３に記載のインクジェット記録装置において、前記記録媒体は、顔料を含有しており、当該顔料は、カオリンであることも好ましい。
【手続補正３】
【補正対象書類名】明細書
【補正対象項目名】００２３
【補正方法】変更
【補正の内容】
【００２３】
請求項３に記載のインクジェット記録装置において、前記記録媒体は顔料を含有しているものであり、当該顔料は、重質炭酸カルシウムであることも好ましい。
【手続補正４】
【補正対象書類名】明細書
【補正対象項目名】００２４
【補正方法】変更
【補正の内容】
【００２４】
請求項３に記載のインクジェット記録装置において、前記記録媒体が、水性樹脂を含有していることも好ましい。
【手続補正５】
【補正対象書類名】明細書
【補正対象項目名】００２５
【補正方法】変更
【補正の内容】
【００２５】
前記水性樹脂が、水溶性樹脂、あるいは水分散性樹脂であることも好ましい。
【手続補正６】
【補正対象書類名】明細書
【補正対象項目名】００２６
【補正方法】変更
【補正の内容】
【００２６】
請求項５の発明においては、請求項１のインクジェット記録装置であって、前記顔料系インクが、少なくとも、水、着色剤、及び湿潤剤を含有していることを特徴とするインクジェット記録装置を提供する。
【手続補正７】
【補正対象書類名】明細書
【補正対象項目名】００２７
【補正方法】変更
【補正の内容】
【００２７】
請求項６の発明においては、前記顔料系インクの２５℃における表面張力が、３５ｍＮ／ｍ以下であることを特徴とする請求項５に記載のインクジェット記録装置を提供する。
【手続補正８】
【補正対象書類名】明細書
【補正対象項目名】００２８
【補正方法】変更
【補正の内容】
【００２８】
請求項５に記載のインクジェット記録装置において、前記顔料系インクの２５℃における粘度が、１〜２０ｃｐであることも好ましい。
【手続補正９】
【補正対象書類名】明細書
【補正対象項目名】００２９
【補正方法】変更
【補正の内容】
【００２９】
請求項５に記載のインクジェット記録装置において、前記顔料系インクがフッ素系界面活性剤を含有していることも好ましい。
【手続補正１０】
【補正対象書類名】明細書
【補正対象項目名】００３０
【補正方法】変更
【補正の内容】
【００３０】
請求項７の発明においては、前記中間調処理が、入力画像の階調（Ｍ値）を小値（Ｎ値：Ｍ＞Ｎ＞２）に変換して出力するディザマトリクスによるものであり、該ディザマトリクス内には、より小さなサブマトリクスが一定のスクリーン角を持たせて隙間及び重複無く配置され、出力画素の配置パターンが網点パターンやスクリーン線を形成するように設定されており、サブマトリクス内のドット配置順序は、出力階調値が閾値Ｔ（Ｎ＞Ｔ＞１）未満の場合はドットが隣接するように形成される集中型であり、閾値Ｔ以上の場合はドットが隣接しないように形成される分散型であることを特徴する請求項１に記載のインクジェット記録装置を提供する。
【手続補正１１】
【補正対象書類名】明細書
【補正対象項目名】００３１
【補正方法】変更
【補正の内容】
【００３１】
請求項８の発明においては、前記中間調処理が、入力画像の階調（Ｍ値）を小値（Ｎ値：Ｍ＞Ｎ≧２）に変換して出力する誤差拡散アルゴリズムによる誤差拡散処理であることを特徴する請求項１に記載のインクジェット記録装置を提供する。
【手続補正１２】
【補正対象書類名】明細書
【補正対象項目名】００３２
【補正方法】変更
【補正の内容】
【００３２】
請求項９の発明においては、請求項１乃至８のいずれか一項に記載のインクジェット記録装置を用いて記録されたことを特徴とする記録物を提供する。
【手続補正１３】
【補正対象書類名】明細書
【補正対象項目名】００３３
【補正方法】変更
【補正の内容】
【００３３】
請求項１０の発明においては、請求項１乃至８のいずれか一項に記載のインクジェット記録装置に用いられる顔料系インクであって、２５℃における表面張力が３５ｍＮ／ｍ以下であることを特徴とする顔料系インクを提供する。
【手続補正１４】
【補正対象書類名】明細書
【補正対象項目名】００３４
【補正方法】変更
【補正の内容】
【００３４】
請求項１乃至８のいずれか一項に記載のインクジェット記録装置に用いられる顔料系インクであって、フッ素系界面活性剤を含有していることも好ましい。
【手続補正１５】
【補正対象書類名】明細書
【補正対象項目名】００３５
【補正方法】変更
【補正の内容】
【００３５】
請求項１１の発明においては、請求項１乃至８のいずれか一項に記載のインクジェット記録装置を用いた記録において、画像処理手段により入力画像情報を中間調処理して得られる出力階調値に応じてドット配置順を選択する画像処理方法であって、前記中間調処理が、入力画像の階調（Ｍ値）を小値（Ｎ値：Ｍ＞Ｎ＞２）に変換して出力するディザマトリクスによるものであり、該ディザマトリクス内には、より小さなサブマトリクスが一定のスクリーン角を持たせて隙間及び重複無く配置され、出力画素の配置パターンが網点パターンやスクリーン線を形成するように設定されており、サブマトリクス内のドット配置順序を、出力階調値が閾値Ｔ（Ｎ＞Ｔ＞１）未満の場合はドットが隣接するように形成する集中型とし、閾値Ｔ以上の場合はドットが隣接しないように形成する分散型とすることを特徴する画像処理方法を提供する。
【手続補正１６】
【補正対象書類名】明細書
【補正対象項目名】００３６
【補正方法】変更
【補正の内容】
【００３６】
請求項１２の発明においては、前記ディザマトリクスが、サブマトリクスのドット配置が集中型から分散型に切り替わる直前に、集中型の最大階調値（Ｔ−１）でサブマトリクス全体が埋め尽くされるパターンになるものであることを特徴する請求項１１に記載の画像処理方法を提供する。
【手続補正１７】
【補正対象書類名】明細書
【補正対象項目名】００３７
【補正方法】変更
【補正の内容】
【００３７】
請求項１３の発明においては、前記ディザマトリクスが、任意の出力階調値についてサブマトリクス全体がその階調値で埋め尽くされるパターンを有するものであることを特徴とする請求項１１に記載の画像処理方法を提供する。
【手続補正１８】
【補正対象書類名】明細書
【補正対象項目名】００３８
【補正方法】変更
【補正の内容】
【００３８】
請求項１４の発明においては、ドット配置順を決定する際の前記サブマトリクスの選択順は、ディザマトリクス内で分散的であるようにし、隣接するサブマトリクスを連続して選択しないように間隔を空けて選択するか、あるいは配置されたドットがハイパスフィルタ特性を持つように選択することを特徴する請求項１１乃至１３のいずれか一項に記載の画像処理方法を提供する。
【手続補正１９】
【補正対象書類名】明細書
【補正対象項目名】００３９
【補正方法】変更
【補正の内容】
【００３９】
請求項１５の発明においては、入力画像が複数のカラープレーンで構成されるカラー画像の場合、任意のカラープレーンについては、前記ディザマトリクスを「回転」、「線対称に反転」、「平行移動」の何れか、あるいは任意の組み合わせによって変換したディザマトリクスを使用することを特徴する請求項１１乃至１３のいずれか一項に記載の画像処理方法を提供する。
【手続補正２０】
【補正対象書類名】明細書
【補正対象項目名】００４０
【補正方法】変更
【補正の内容】
【００４０】
請求項１６の発明においては、入力画像が複数のカラープレーンで構成されるカラー画像の場合、任意のカラープレーンについては、前記ディザマトリクスのドット配置順序を出力階調単位で反転したディザマトリクスを使用することを特徴とする請求項１３に記載の画像処理方法を提供する。
【手続補正２１】
【補正対象書類名】明細書
【補正対象項目名】００４１
【補正方法】変更
【補正の内容】
【００４１】
請求項１７の発明においては、前記ディザマトリクスにおけるサブマトリクスが大小２つの長方形を各辺と各角が接するよう隣接させた形であり、ＣＭＹＫのカラー入力画像に対して、カラープレーン毎に上下方向に１ライン以上平行移動してずらしたディザマトリクスを使用することを特徴とする請求項１５に記載の画像処理方法を提供する。
【手続補正２２】
【補正対象書類名】明細書
【補正対象項目名】００４２
【補正方法】変更
【補正の内容】
【００４２】
請求項１８の発明においては、入力画像が複数のカラープレーンで構成されるカラー画像の場合に、前記ディザマトリクスと共に、一定のスクリーン角を持ったライン形のディザマトリクスを組み合わせて使用することを特徴とする請求項１１乃至１７のいずれか一項に記載の画像処理方法を提供する。
【手続補正２３】
【補正対象書類名】明細書
【補正対象項目名】００４３
【補正方法】変更
【補正の内容】
【００４３】
請求項１９の発明においては、入力画像が複数のカラープレーンで構成されるカラー画像の場合に、前記ディザマトリクスと共に、ベイヤー型のディザマトリクスを組み合わせて使用することを特徴とする請求項１１乃至１７のいずれか一項に記載の画像処理方法を提供する。
【手続補正２４】
【補正対象書類名】明細書
【補正対象項目名】００４４
【補正方法】変更
【補正の内容】
【００４４】
請求項２０の発明においては、請求項１乃至８のいずれか一項に記載のインクジェット記録装置を用いた記録において、画像処理手段により入力画像情報を中間調処理して得られる出力階調値に応じてドット配置順を選択する画像処理方法であって、前記中間調処理が、入力画像の階調（Ｍ値）を小値（Ｎ値：Ｍ＞Ｎ≧２）に変換して出力する誤差拡散アルゴリズムによる誤差拡散処理であることを特徴する画像処理方法を提供する。
【手続補正２５】
【補正対象書類名】明細書
【補正対象項目名】００４５
【補正方法】変更
【補正の内容】
【００４５】
請求項２１の発明においては、請求項１１乃至２０のいずれか一項に記載の画像処理方法をコンピュータに実行させることを特徴とする画像処理制御プログラムを提供する。
【手続補正２６】
【補正対象書類名】明細書
【補正対象項目名】００４６
【補正方法】変更
【補正の内容】
【００４６】
請求項２２の発明においては、請求項２１に記載の画像処理制御プログラムを記録したコンピュータ読み取り可能な記録媒体を提供する。
【手続補正２７】
【補正対象書類名】明細書
【補正対象項目名】００４７
【補正方法】変更
【補正の内容】
【００４７】
請求項２３の発明においては、請求項１１乃至２０のいずれか一項に記載の画像処理方法を実施可能に構成したことを特徴とする画像処理装置を提供する。
【手続補正２８】
【補正対象書類名】明細書
【補正対象項目名】００４８
【補正方法】変更
【補正の内容】
【００４８】
請求項２４の発明においては、請求項１１乃至２０のいずれか一項に記載の画像処理方法を実施可能に構成したことを特徴とするインクジェット記録装置を提供する。
【手続補正２９】
【補正対象書類名】明細書
【補正対象項目名】００４９
【補正方法】変更
【補正の内容】
【００４９】
請求項２５の発明においては、記録媒体および記録用インクの種類に応じて、請求項１１乃至２０のいずれか一項に記載の画像処理方法、または、より高線数なディザ処理方式に切り換えるように構成したことを特徴とするインクジェット記録装置を提供する。